(57)【特許請求の範囲】
【請求項１】
複数の絶縁電線と複数の前記絶縁電線各々の導線の端部が一体化された部分であり横断面の最大寸法が前記絶縁電線の横断面の最大寸法よりも大きなジョイント部とを有する第一電線束と、
前記第一電線束の端部における、前記ジョイント部から複数の前記絶縁電線の絶縁被覆までに亘る保護領域を覆う絶縁カバー部材と、
前記絶縁カバー部材の一部に巻き付けられ、前記第一電線束の前記保護領域を内包する前記絶縁カバー部材と前記第一電線束とは異なる第二電線束とを結束する結束材と、を備えるワイヤハーネスであって、
前記絶縁カバー部材は、樹脂材料がキャップ状に成形された可撓性を有する部材であり、
前記絶縁カバー部材における前記結束材が巻き付けられた部分に、前記絶縁カバー部材の長手方向に直交する第一方向において内側面及び外側面の両方で他の部分と段差をなしてくびれたくびれ部が形成されており、
前記絶縁カバー部材における前記くびれ部の内側面は、前記第一方向の寸法が前記ジョイント部の前記第一方向の寸法よりも小さく、かつ、前記絶縁カバー部材の長手方向及び前記第一方向に直交する第二方向の寸法が前記第一電線束の前記第二方向の寸法よりも大きく形成されていることを特徴とするワイヤハーネス。
【請求項２】
前記絶縁カバー部材は、樹脂材料がディップ成形によりキャップ状に成形された可撓性を有する部材である、請求項１に記載のワイヤハーネス。
【請求項３】
前記絶縁カバー部材の先端部は、他の部分の厚みよりも大きな厚みで形成されている、請求項１又は請求項２に記載のワイヤハーネス。
【発明の詳細な説明】
【技術分野】
【０００１】
本発明は、電線束の端部のジョイント部を覆う絶縁カバー部材を備えたワイヤハーネスに関する。
【背景技術】
【０００２】
自動車に代表される車両に搭載されるワイヤハーネスにおいて、複数の絶縁電線における導線の端部が、一体化されることによって電気的に接続される場合がある。例えば、複数の絶縁電線における導線の端部は、圧着金具がかしめられることにより一体化される。以下、複数の絶縁電線における導線の端部が一体化された部分のことをジョイント部と称する。
【０００３】
ワイヤハーネスのジョイント部は、水が、絶縁電線の導線と絶縁被覆との隙間を伝って、雰囲気の圧力が高い場所から低い場所へ移動することによって電装部品の動作不良が生じる不都合を回避するために設けられる。
【０００４】
即ち、ジョイント部は、一方の端部が雰囲気圧力の高い第一の場所へ配置される第一絶縁電線と、一方の端部が雰囲気圧力の低い第二の場所へ配置される第二絶縁電線と、からなる電線束の端部において、第一絶縁電線の他方の端部と第二絶縁電線の他方の端部とを接続する部分として設けられる。なお、第一絶縁電線及び第二絶縁電線は、一連の絶縁電線が切断されることにより得られる場合が多い。
【０００５】
ジョイント部を有するワイヤハーネスが第一の場所から第二の場所に亘って敷設された場合、第一の場所の水は、第一絶縁電線における導線と絶縁被覆との隙間を伝って移動しても、ジョイント部において第一絶縁電線から排出され、第二絶縁電線の絶縁被覆内へ浸入しない。
【０００６】
また、特許文献１に示されるように、ジョイント部が形成されたワイヤハーネスは、通常、ジョイント部を覆う絶縁カバー部材を備える。絶縁カバー部材は、可撓性を有し、電線束のジョイント部を内包する状態で粘着テープ又は結束用のベルト部材などの結束材が巻き付けられることにより、他の電線束と結束される。ワイヤハーネスにおいて、ジョイント部を覆う絶縁カバー部材は、電線束への取り付けが容易であることが望まれている。
【０００７】
従来、樹脂材料からなり柔軟性を有する筒状部材が、絶縁カバー部材として用いられることが多い。この場合、筒状部材の一方の端部が、折り畳まれた状態で粘着テープにより留められる。これにより、筒状部材の一方の開口が塞がれ、筒状部材はキャップ状に形成される。なお、キャップ状とは、筒の一方の開口が塞がれた状態の形状を意味する。
【０００８】
そして、電線束の端部におけるジョイント部から絶縁電線の絶縁被覆に亘る部分である保護領域が、キャップ状の部材の中空部に挿入された後、柔軟性を有するキャップ状の部材である絶縁カバー部材は、粘着テープなどの結束材が巻き付けられることにより、中空部に挿入された電線束とは別の電線束と結束される。通常、絶縁カバー部材と結束される電線束は、ワイヤハーネスにおける幹線を形成する電線束である。この場合、枝線を形成する電線束を内包する絶縁カバー部材は、幹線を形成する電線束に固定される。
【０００９】
一方、特許文献１に示される絶縁カバー部材は、樹脂材料が予めキャップ状に成形された部材である。さらに、特許文献１に示される絶縁カバー部材の内側面には、２つの環状のリブが形成されている。
【００１０】
特許文献１に示される絶縁カバー部材において、内側面のリブは、ジョイント部を絶縁カバー部材内部に位置決めし、絶縁カバー部材がその取り付け作業の途中で電線束の端部から抜け落ちることを防止する。その結果、電線束への絶縁カバー部材の取り付けが容易となる。
【先行技術文献】
【特許文献】
【００１１】
【特許文献１】特開２００９−１８７３８９号公報
【発明の概要】
【発明が解決しようとする課題】
【００１２】
ところで、ワイヤハーネスの幹線部に対する絶縁カバー部材の固定状態のばらつきを防ぐため、結束材は、電線束の保護領域を内包する絶縁カバー部材における予め定められた位置に巻き付けられる。例えば、作業者は、計測用の治具などを用いて、保護領域を内包する絶縁カバー部材における先端から予め定められた距離を隔てた位置を特定した上で、結束材を特定した位置に巻き付ける。
【００１３】
しかしながら、昨今、絶縁カバー部材の電線束への取り付け作業の負荷のさらなる軽減が求められている。そのため、絶縁カバー部材の取り付け作業において、結束材の巻き付け位置を特定するための作業の負荷軽減が望まれている。
【００１４】
また、特許文献１に示されるように、キャップ状の絶縁カバー部材の内側面に環状のリブ、即ち、他の部分よりも厚みの大きな環状の部分を形成するためには、樹脂材料の射出成形が必要となる。しかしながら、昨今、絶縁カバー部材をより簡易に製造し、絶縁カバー部材のコストをより低減することも求められている。
【００１５】
本発明は、ジョイント部が形成された電線束及びジョイント部を覆う絶縁カバー部材を備えるワイヤハーネスにおいて、絶縁カバー部材の取り付け作業の負荷を軽減することを主目的とし、絶縁カバー部材のコストを低減することも目的とする。
【課題を解決するための手段】
【００１６】
第１発明に係るワイヤハーネスは、以下に示される各構成要素を備える。（１）第１の構成要素は、複数の絶縁電線と複数の前記絶縁電線各々の導線の端部が一体化された部分であり前記絶縁電線の太さよりも太いジョイント部とを有する第一電線束である。（２）第２の構成要素は、前記第一電線束の端部における、前記ジョイント部から複数の前記絶縁電線の絶縁被覆までに亘る保護領域を覆う絶縁カバー部材である。（３）第３の構成要素は、前記絶縁カバー部材の一部に巻き付けられ、前記第一電線束の前記保護領域を内包する前記絶縁カバー部材と前記第一電線束とは異なる第二電線束とを結束する結束材である。さらに、第１発明に係るワイヤハーネスにおいて、前記絶縁カバー部材は、樹脂材料がキャップ状に成形された可撓性を有する部材である。さらに、前記絶縁カバー部材における前記結束材が巻き付けられた部分に、前記絶縁カバー部材の長手方向に直交する第一方向において内側面及び外側面の両方で他の部分と段差をなしてくびれたくびれ部が形成されている。さらに、前記絶縁カバー部材における前記くびれ部の内側面は、前記第一方向の寸法が前記ジョイント部の前記第一方向の寸法よりも小さく、かつ、前記絶縁カバー部材の長手方向及び前記第一方向に直交する第二方向の寸法が前記第一電線束の前記第二方向の寸法よりも大きく形成されている。
【００１７】
また、第２発明に係るワイヤハーネスは、第１発明に係るワイヤハーネスの一例である。第２発明に係るワイヤハーネスにおいて、前記絶縁カバー部材は、樹脂材料がディップ成形によりキャップ状に成形された可撓性を有する部材である。
【００１８】
また、第３発明に係るワイヤハーネスは、第１発明又は第２発明に係るワイヤハーネスの一例である。第３発明に係るワイヤハーネスにおいて、前記絶縁カバー部材の先端部は、他の部分の厚みよりも大きな厚みで形成されている。
【発明の効果】
【００２０】
第１発明に係るワイヤハーネスにおいて、第一電線束のジョイント部は、絶縁カバー部材の内側に挿入された場合、絶縁カバー部材のくびれ部に引っ掛かる。しかしながら、可撓性を有する絶縁カバー部材のくびれ部は、幅が広く形成された方向である第二方向の両側から押されると、第二方向に直交する第一方向における幅が拡がるように変形する。
【００２１】
従って、絶縁カバー部材のくびれ部が一時的に第二方向の両側から摘まれた状態で、第一電線束のジョイント部が絶縁カバー部材の内側に挿入されることにより、ジョイント部は、絶縁カバー部材の内側におけるくびれ部よりも奥の位置まで挿入される。
【００２２】
そして、ジョイント部が絶縁カバー部材におけるくびれ部よりも奥の位置まで挿入された後、くびれ部の摘みが解除されれば、ジョイント部は、絶縁カバー部材の開口部側へ移動しようとする際にくびれ部に引っ掛かる。そのため、絶縁カバー部材がその取り付け作業の途中で第一電線束の端部から抜け落ちることは防がれる。
【００２３】
また、第１発明に係るワイヤハーネスにおいて、絶縁カバー部材のくびれ部は、結束材の巻き付け位置を表すとともに結束材の位置ずれを防止する段差を形成する。そのため、絶縁カバー部材の電線束への取り付け作業において、結束材の巻き付け位置を特定するための作業は不要である。
【００２４】
以上に示したことから、第１発明によれば、ジョイント部が形成された第一電線束及びジョイント部を覆う絶縁カバー部材を備えるワイヤハーネスにおいて、絶縁カバー部材の取り付け作業の負荷が軽減される。
【００２５】
また、第２発明に係るワイヤハーネスにおいて、絶縁カバー部材は、樹脂材料がディップ成形によりキャップ状に成形された可撓性を有する部材である。ディップ成形は、射出成形に比べてより簡易かつ低コストの成形手法である。本発明に係る絶縁カバー部材は、筒状の部分の一部に厚みの大きな部分が形成される必要がなく、概ね均一な厚みのキャップ状の部材は、ディップ成形によって容易に製造可能である。第２発明よれば、絶縁カバー部材のコストの低減が可能となる。
【００２６】
また、第３発明に係るワイヤハーネスにおいて、絶縁カバー部材の先端部は、他の部分の厚みよりも大きな厚みで形成されており、他の部分よりも破れにくい。そのため、第一電線束のジョイント部を絶縁カバー部材の先端部に突き当てることにより、第一電線束と絶縁カバー部材との位置合わせが行われた場合でも、絶縁カバー部材の先端部の破損は回避される。
【００２７】
なお、絶縁カバー部材がディップ成形により成形される場合であっても、絶縁カバー部材の先端部を他の部分の厚みよりも大きな厚みで形成することは可能である。例えば、樹脂の冷却工程（固化工程）において、固化する前の樹脂材料が表面に付着した絶縁カバー部材の金型が、その先端部が下方に向く状態で保持されれば、流動性を有する樹脂材料が下方に溜まり、先端部は他の筒状の部分よりも大きな厚みで形成される。
【図面の簡単な説明】
【００２８】
【図１】本発明の実施形態に係る絶縁カバー部材１の斜視図である。
【図２】絶縁カバー部材１の３面図である。
【図３】絶縁カバー部材１の縦断面図である。
【図４】絶縁カバー部材１の横断面図である。
【図５】本発明の実施形態に係るワイヤハーネス２の斜視図である。
【図６】ワイヤハーネス２が備える電線束の平面図及び側面図である。
【図７】電線束の端部が挿入された絶縁カバー部材１の縦断面図である。
【図８】電線束の端部が挿入された絶縁カバー部材１の横断面図である。
【図９】電線束の端部が挿入され変形した絶縁カバー部材１の横断面図である。
【発明を実施するための形態】
【００２９】
以下、添付の図面を参照しながら、本発明の実施形態について説明する。以下の実施形態は、本発明を具体化した一例であり、本発明の技術的範囲を限定する事例ではない。
【００３０】
＜絶縁カバー部材＞
まず、図１から図４を参照しつつ、本発明の実施形態に係る絶縁カバー部材１の構成について説明する。なお、図２（ａ）は絶縁カバー部材１の平面図、図２（ｂ）は絶縁カバー部材の側面図、図２（ｃ）は絶縁カバー部材１の背面図である。また、図３は図２（ａ）に示されるＡ−Ａ平面における断面図（縦断面図）、図４は図２（ａ）に示されるＢ−Ｂ平面における断面図（横断面図）である。
【００３１】
絶縁カバー部材１は、電線束の端部に形成されたジョイント部を覆う部材である。また、絶縁カバー部材１は、樹脂材料がキャップ状に成形された可撓性を有する部材である。絶縁カバー部材１を構成する樹脂材料は、例えば、ポリ塩化ビニル（ＰＶＣ）、天然ゴム、ウレタン又はニトリルゴム（ＮＢＲ）などの合成ゴムなどである。
【００３２】
図１から図４に示されるように、絶縁カバー部材１は、概ね均一な厚みの筒状に形成された筒状部１１と、筒状部１１の一方の開口を塞ぐ閉塞部１２とにより構成されている。即ち、絶縁カバー部材１の先端部は閉塞部１２であり、絶縁カバー部材１の後端部は電線束の挿入口となる開口部１３である。
【００３３】
各図に示される座標軸において、Ｘ軸方向は絶縁カバー部材１の長手方向である。絶縁カバー部材１の長手方向は、絶縁カバー部材１における筒状部１１の軸心方向でもある。
【００３４】
また、各図に示される座標軸において、Ｚ軸方向は絶縁カバー部材１の長手方向に直交する高さ方向であり、Ｙ軸方向は絶縁カバー部材１の長手方向及び高さ方向に直交する幅方向である。なお、「幅方向」及び「高さ方向」との呼称は、絶縁カバー部材１の長手方向に直交する２方向を区別するための便宜上の呼称である。従って、絶縁カバー部材１は、必ずしも高さ方向（Ｚ軸方向）が上下方向となるように配置されるわけではない。
【００３５】
また、絶縁カバー部材１における筒状部１１の一部には、絶縁カバー部材１の長手方向に直交する高さ方向（Ｚ軸方向）のみにおいて、他の部分と段差をなしてくびれたくびれ部１１１が形成されている。
【００３６】
図３に示されるように、くびれ部１１１は、内側面及び外側面の両方で他の部分と段差をなしてくびれた部分である。従って、くびれ部１１１の外側面は、高さ方向（Ｚ軸方向）において凹面をなし、くびれ部１１１の内側面は、高さ方向において凸面をなしている。
【００３７】
また、筒状部１１におけるくびれ部１１１以外の部分は円筒状である。一方、筒状部１１におけるくびれ部１１１は、図４に示されるように、外側面の輪郭及び内側面の輪郭の両方が扁平に形成されている。
【００３８】
くびれ部１１１は、粘着テープ又は結束用ベルトなどの結束材が巻き付けられる部分であり、絶縁カバー部材１の長手方向（Ｘ軸方向）におけるくびれ部１１１の幅は、結束材の幅よりも若干大きい程度である。
【００３９】
本実施形態においては、２つのくびれ部１１１が、絶縁カバー部材１の筒状部１１に間隔を隔てて形成されている。しかしながら、１つのくびれ部１１１のみが筒状部１１に形成されること、或いは、３つ以上のくびれ部１１１が筒状部１１に間隔を隔てて形成されることも考えられる。
【００４０】
また、図３に示されるように、絶縁カバー部材１の先端部である閉塞部１２は、他の部分の厚み、即ち、筒状部１１の厚みよりも大きな厚みで形成されている。
【００４１】
以上に示された絶縁カバー部材１は、樹脂材料がディップ成形によりキャップ状に成形された可撓性を有する部材である。即ち、絶縁カバー部材１は、その内側面の形状を外形とする棒状の金型を溶融した樹脂材料の中に浸す浸漬工程と、棒状の金型の表面に付着した樹脂材料を冷却して固化する冷却工程と、固化した樹脂部材を棒状の金型から取り外す離型工程とを経て製造される。
【００４２】
また、浸漬工程から冷却工程までの工程において、固化する前の樹脂材料が表面に付着した絶縁カバー部材の金型が、その先端部が下方に向く状態で保持されれば、流動性を有する樹脂材料が下方に溜まり、先端部は他の筒状の部分よりも大きな厚みで形成される。
【００４３】
＜ワイヤハーネス＞
次に、図５から図９を参照しつつ、本発明の実施形態に係るワイヤハーネス２の構成について説明する。図５はワイヤハーネス２の斜視図である。
【００４４】
図５に示されるように、ワイヤハーネス２は、第一電線束９Ａと、第二電線束９Ｂと、絶縁カバー部材１と、結束材６とを備える。なお、図６（ａ）は第一電線束９Ａの平面図であり、図６（ｂ）は第一電線束９Ａの側面図である。また、図７及び図８は、それぞれ第一電線束９Ａの端部が挿入された絶縁カバー部材１の縦断面図及び横断面図である。
【００４５】
＜電線束＞
図６に示されるように、第一電線束９Ａは、複数の絶縁電線８とジョイント部７とを有する。絶縁電線８は、導線８１と導線８１の周囲を覆う絶縁被覆８２により構成されている。
【００４６】
ジョイント部７は、複数の絶縁電線８各々の導線８１の端部が一体化された部分である。図６に示されるジョイント部７は、複数の絶縁電線８における導線８１の端部が、圧着金具７１がかしめられることにより一体化された部分である。第一電線束９Ａを構成する複数の絶縁電線８は、ジョイント部７において電気的に接続されている。また、ジョイント部７は、絶縁電線８各々の太さ、即ち、絶縁電線８の絶縁被覆８２の部分の太さよりも太く形成されている。
【００４７】
なお、図６に示される例では、第一電線束９Ａを構成する絶縁電線８は２本であるが、第一電線束９Ａが３本以上の絶縁電線８を含むことも考えられる。
【００４８】
一方、第二電線束９Ｂは、図示されていないが、複数の絶縁電線８の束である。第二電線束９Ｂは、ワイヤハーネス２における幹線を形成する電線束である。
【００４９】
ワイヤハーネス２において、絶縁カバー部材１は、第一電線束９Ａの端部における、ジョイント部７から複数の絶縁電線８の絶縁被覆８２までに亘る領域を覆う。以下の説明において、第一電線束９Ａにおける、絶縁カバー部材１で覆われる領域のことを保護領域と称する。
【００５０】
＜結束材＞
結束材６は、絶縁カバー部材１のくびれ部１１１に巻き付けられ、第一電線束９Ａの保護領域を内包する絶縁カバー部材１と第二電線束９Ｂとを結束する部材である。換言すれば、絶縁カバー部材１における結束材６が巻き付けられた部分にくびれ部１１１が形成されている。図５に示される結束材６は粘着テープである。なお、結束材６が、結束用のベルト部材であることも考えられる。
【００５１】
＜ワイヤハーネスにおける絶縁カバー部材＞
図８に示されるように、ワイヤハーネス２において、絶縁カバー部材１におけるくびれ部１１１の内側面は、高さ方向（Ｚ軸方向）の寸法Ｗ２１がジョイント部７の高さ方向の寸法Ｗ１１よりも若干小さく形成され、かつ、幅方向（Ｙ軸方向）の寸法Ｗ２２が第一電線束９Ａの幅方向の寸法Ｗ１２よりも十分大きく形成されている。また、くびれ部１１１の内側面における高さ方向の寸法Ｗ２１は、第一電線束９Ａにおける絶縁電線８の絶縁被覆８２の部分の高さ方向の寸法Ｗ１３よりも大きく形成されている。
【００５２】
なお、図示されていないが、絶縁カバー部材１の筒状部１１におけるくびれ部１１１以外の部分の内側面は、高さ方向の寸法が第一電線束９Ａの高さ方向の寸法より大きく、かつ、幅方向の寸法が第一電線束９Ａの幅方向の寸法Ｗ１２よりも大きく形成されている。ここで、第一電線束９Ａの高さ方向の寸法は、ジョイント部７の高さ方向の寸法Ｗ１１と等しい。
【００５３】
＜絶縁カバー部材の作用及び効果＞
図８に示されるように、絶縁カバー部材１が圧力を受けない自然状態であるとき、第一電線束９Ａのジョイント部７は、絶縁カバー部材１の内側に挿入された場合、絶縁カバー部材１のくびれ部１１１に引っ掛かる。
【００５４】
しかしながら、可撓性を有する絶縁カバー部材１のくびれ部１１１は、幅が広く形成された方向である幅方向（Ｙ軸方向）の両側から押されると、幅方向に直交する高さ方向（Ｚ軸方向）における幅が拡がるように変形する。
【００５５】
図９は、第一電線束９Ａの端部が挿入され変形した絶縁カバー部材１のくびれ部１１１の部分の横断面図である。図９に示されるように、可撓性を有する絶縁カバー部材１のくびれ部１１１は、幅方向（Ｙ軸方向）の両側から指などにより力Ｆ１で押されると、高さ方向における幅が拡がるように変形する。
【００５６】
従って、絶縁カバー部材１のくびれ部１１１が一時的に幅方向の両側から摘まれた状態で、第一電線束９Ａのジョイント部７が絶縁カバー部材１の内側に挿入されることにより、ジョイント部７は、絶縁カバー部材１の内側におけるくびれ部１１１よりも奥の位置まで挿入される。
【００５７】
そして、ジョイント部７が絶縁カバー部材１におけるくびれ部１１１よりも奥の位置まで挿入された後、くびれ部１１１の摘みによる力Ｆ１が解除されれば、ジョイント部７は、絶縁カバー部材１の開口部１３側へ移動しようとする際にくびれ部１１１に引っ掛かる。そのため、絶縁カバー部材１がその取り付け作業の途中で第一電線束９Ａの端部から抜け落ちることは防がれる。
【００５８】
また、ワイヤハーネス２において、絶縁カバー部材１のくびれ部１１１は、結束材６の巻き付け位置を表すとともに結束材６の位置ずれを防止する段差を形成する。そのため、絶縁カバー部材１の電線束への取り付け作業において、結束材６の巻き付け位置を特定するための作業は不要である。
【００５９】
以上に示したことから、ジョイント部７が形成された第一電線束９Ａ及びジョイント部７を覆う絶縁カバー部材１を備えるワイヤハーネス２において、絶縁カバー部材１の取り付け作業の負荷が軽減される。
【００６０】
また、ワイヤハーネス２において、絶縁カバー部材１は、樹脂材料がディップ成形によりキャップ状に成形された可撓性を有する部材である。ディップ成形は、射出成形に比べてより簡易かつ低コストの成形手法である。絶縁カバー部材１は、筒状部１１の一部に厚みの大きな部分が形成される必要がなく、概ね均一な厚みのキャップ状の部材は、ディップ成形によって容易に製造可能である。従って、絶縁カバー部材１が採用されることにより、コストの低減が可能となる。
【００６１】
また、絶縁カバー部材１の閉塞部１２（先端部）は、他の部分の厚みよりも大きな厚みで形成されており、他の部分よりも破れにくい。そのため、第一電線束９Ａのジョイント部７を絶縁カバー部材１の閉塞部１２に突き当てることにより、第一電線束９Ａと絶縁カバー部材１との位置合わせが行われた場合でも、絶縁カバー部材１の先端部の破損は回避される。
【００６２】
なお、前述したように、絶縁カバー部材１がディップ成形により成形される場合であっても、絶縁カバー部材１の閉塞部１２（先端部）を他の部分の厚みよりも大きな厚みで形成することは可能である。
【００６３】
＜その他＞
ワイヤハーネス２において、第一電線束９Ａのジョイント部７が、圧着金具以外の金具又は溶接などにより一体化された部分であってもよい。
【符号の説明】
【００６４】
１  絶縁カバー部材
２  ワイヤハーネス
６  結束材
７  ジョイント部
８  絶縁電線
９Ａ  第一電線束
９Ｂ  第二電線束
１１  筒状部
１２  閉塞部
１３  開口部
７１  圧着金具
８１  導線
８２  絶縁被覆
１１１  くびれ部
【図１】
0005737131.tif 000002
【図２】
0005737131.tif 000003
【図３】
0005737131.tif 000004
【図４】
0005737131.tif 000005
【図５】
0005737131.tif 000006
【図６】
0005737131.tif 000007
【図７】
0005737131.tif 000008
【図８】
0005737131.tif 000009
【図９】
0005737131.tif 000010